(57)【特許請求の範囲】
【請求項１】
液透過性の表面シート及び液保持性の吸収体を備える吸収性本体と、該吸収性本体の非肌当接面側に位置して該吸収性本体を固定している外装体とを備え、腹側部における該外装体の側縁部と背側部における該外装体の側縁部とが接合されて、一対のサイドシール部並びにウエスト開口部及び一対のレッグ開口部が形成されているパンツ型吸収性物品であって、
前記外装体のうち、背側部又は腹側部における胴回り部の幅方向側部域に、該胴回り部の厚み方向断面視において、股下部側からウエスト開口部側に向けて凸となる第１の折り目を幅方向に沿って設けるとともに、ウエスト開口部側から股下部側に向けて凸となる第２の折り目を第１の折り目と平行に且つ幅方向に沿って設けて該胴回り部を折り畳み、それによって幅方向に延びる一重の襞を設け、該胴回り部の折り畳み状態下に、該外装体の背側部と腹側部とがそれらの側縁部どうしで接合されており、それによって背側部又は腹側部における前記サイドシール部に隣接した該側部域に、該襞及び該サイドシール部を含む指先支持部が設けられており、
前記外装体のうち、背側部又は腹側部における前記サイドシール部が形成された幅方向に延びる領域を、物品の長手方向に仮想的に三等分して上部、中央部及び下部に区分したとき、中央部の引張応力を、上部及び下部の引張応力よりも高くし、且つ中央部に前記襞における先端の折り目を位置させた、パンツ型吸収性物品。
【請求項２】
前記中央部には、幅方向に延びる複数本の弾性部材が配置されている請求項１に記載のパンツ型吸収性物品。
【請求項３】
ウエスト開口部側から股下部側に向けて凸となる第２の折り目の位置に、前記襞の先端の折り目が位置している請求項１又は２に記載のパンツ型吸収性物品。
【請求項４】
前記指先支持部が背側部に形成されている請求項１ないし３のいずれか一項に記載のパンツ型吸収性物品。
【請求項５】
前記襞における先端の折り目が、前記吸収体の長手方向端縁よりも股下部側に位置している請求項１ないし４のいずれか一項に記載のパンツ型吸収性物品。
【請求項６】
前記襞が、前記外装体のうち、物品の平面視において、該外装体と前記吸収性本体とが重ならない部位にのみ形成されている請求項１ないし５のいずれか一項に記載のパンツ型吸収性物品。
【請求項７】
前記外装体が、着用者の腹側に配される腹側シート部材と、着用者の背側に配される背側シート部材とからなり、
前記吸収性本体が、前記腹側シート部材及び前記背側シート部材に架け渡して固定されており、
前記腹側シート部材の両側部と前記背側シート部材の両側部とが前記サイドシール部において接合されて、筒状の胴回り部が形成されており、
前記背側シート部材又は前記腹側シート部材における前記サイドシール部に隣接した前記側部域に前記指先支持部を設けた請求項１ないし６のいずれか一項に記載のパンツ型吸収性物品。
【請求項８】
前記外装体が物品の外面をなす外側シートと、外側シートの内面側に配された内側シートと、両シート間に配された弾性部材とを備え、幅方向に伸縮可能になっており、
前記外側シートと前記内側シートとは、複数の接合部において間欠的に接合されており、
前記弾性部材が、前記接合部を通らないように且つ該弾性部材の両端部間の領域において前記外側シート及び前記内側シートのいずれにも非接合状態で配されている請求項１ないし７のいずれか一項に記載のパンツ型吸収性物品。
【請求項９】
前記弾性部材が、前記サイドシール部と前記吸収体の側縁との間において前記外側シート及び前記内側シートと非接合状態になっている請求項８に記載のパンツ型吸収性物品。
【発明の詳細な説明】
【技術分野】
【０００１】
本発明は、パンツ型使い捨ておむつなどのパンツ型吸収性物品に関する。
【背景技術】
【０００２】
着用状態のパンツ型吸収性物品を引き上げたり、あるいは該吸収性物品を着用者に装着させるときに該吸収性物品を引き上げたりするときに用いられる指掛部を、該吸収性物品の胴回り域に設ける技術が知られている。例えば特許文献１には、使い捨てパンツ型おむつの外面シートを、第１外面シートと、その外側に重なる第２外面シートとから構成し、前後腰周域に第１及び第２外面シートによって該域の周り方向に離間して並列する複数の指先係合部を設けることが記載されている。指先係合部は、第１外面シートが折り込まれて股下域へ向かって開口する折り込み部と、該折り込み部に隣接する第２外面シートの部位が外方へ開口する窓部とによって形成されている。
【０００３】
特許文献２には、パンツ型使い捨ておむつのサイドシール部における縦方向中間部に、前身頃及び後身頃の接合が欠落した欠落部を形成するとともに、該欠落部の非接合間隙を前後に仕切る仕切り部を設け、該欠落部の非接合間隙における該仕切り部の前側及び後側を、それぞれ指掛孔としてサイドシール部の側方に開口させたことが記載されている。
【先行技術文献】
【特許文献】
【０００４】
【特許文献１】特開平１１−１０４１８０号公報
【特許文献２】特開２０１３−２０２１８３号公報
【発明の概要】
【発明が解決しようとする課題】
【０００５】
特許文献１に記載の指先係合部や、特許文献２に記載の指掛孔を用いておむつを引き上げる場合、該指先係合部や該指掛孔に、おむつの引き上げに要する力が集中して加わる。該指先係合部や該指掛孔は、その構造や製造方法から見て、強度的に充分とは言えず、これらの部位に過大な引き上げ力が加わった場合には、該部位を構成する材料の破損が生じるおそれがある。
【０００６】
したがって本発明の課題はパンツ型吸収性物品の改良にあり、更に詳細には、着用状態の該吸収性物品を引き上げるときの、あるいは該吸収性物品を着用者に装着させるときの動作を円滑に行い得るパンツ型吸収性物品を提供することにある。
【課題を解決するための手段】
【０００７】
本発明は、液透過性の表面シート及び液保持性の吸収体を備える吸収性本体と、該吸収性本体の非肌当接面側に位置して該吸収性本体を固定している外装体とを備え、腹側部における該外装体の側縁部と背側部における該外装体の側縁部とが接合されて、一対のサイドシール部並びにウエスト開口部及び一対のレッグ開口部が形成されているパンツ型吸収性物品であって、
前記外装体のうち、背側部又は腹側部における胴回り部の幅方向側部域に、該胴回り部の厚み方向断面視において、股下部側からウエスト開口部側に向けて凸となる第１の折り目を幅方向に沿って設けるとともに、ウエスト開口部側から股下部側に向けて凸となる第２の折り目を第１の折り目と平行に且つ幅方向に沿って設けて該胴回り部を折り畳み、それによって幅方向に延びる一重の襞を設け、該胴回り部の折り畳み状態下に、該外装体の背側部と腹側部とがそれらの側縁部どうしで接合されており、それによって背側部又は腹側部における前記サイドシール部に隣接した該側部域に、該襞及び該サイドシール部を含む指先支持部が設けられている、パンツ型吸収性物品を提供するものである。
【発明の効果】
【０００８】
本発明によれば、物品に指を掛けたり摘まんだりして該物品を引き上げる動作を行うときに、指を掛けた部位や摘まんだ部位に破損が生じることが効果的に防止され、物品の引き上げ動作を円滑に行うことができる。
【図面の簡単な説明】
【０００９】
【図１】図１は、本発明のパンツ型吸収性物品の一実施形態としてのパンツ型使い捨ておむつを、その背側部側から見た斜視図である。
【図２】図２は、図１に示すパンツ型使い捨ておむつにサイドシール部を形成する前の状態を示す斜視図である。
【図３】図３（ａ）は、図１に示すパンツ型使い捨ておむつの腹側シート部材及び背側シート部材の要部を拡大して示す一部破断平面図であり、図３（ｂ）は、図３（ａ）に示す腹側シート部材及び背側シート部材が収縮した状態を示す斜視図である。
【図４】図４は、図１に示すパンツ型使い捨ておむつにおける背側部の側部域の厚み方向断面図である。
【図５】図５は、図１に示すパンツ型使い捨ておむつを引き上げる動作を示す説明図である。
【図６】図６は、本発明のパンツ型吸収性物品の別の実施形態としてのパンツ型使い捨ておむつを、その背側部側から見た斜視図（図１相当図）である。
【図７】図７は、本発明のパンツ型吸収性物品の更に別の実施形態としてのパンツ型使い捨ておむつを、その腹側部側から見た斜視図である。
【図８】図８は、図７に示すパンツ型使い捨ておむつを引き上げる動作を示す説明図である。
【図９】図９は、図７に示すパンツ型使い捨ておむつを引き上げる動作を示す説明図である。
【発明を実施するための形態】
【００１０】
以下本発明を、その好ましい実施形態に基づき図面を参照しながら説明する。図１には、本発明のパンツ型吸収性物品の一実施形態としてのパンツ型使い捨ておむつを、その背側部側から見た斜視図が示されている。同図に示すおむつ１は、腹側シート部材２Ａ及び背側シート部材２Ｂからなる外装体を備えている。腹側シート部材２Ａは矩形状であり、着用者の腹側に配される。背側シート部材２Ｂも矩形状であり、着用者の背側に配される。また、おむつ１は吸収性本体３を備えている。外装体として用いられる腹側シート部材２Ａ及び背側シート部材２Ｂは、吸収性本体の非肌当接面側に位置して該吸収性本体を固定している。詳細には、吸収性本体３は、腹側シート部材２Ａ及び背側シート部材２Ｂに架け渡して固定されている。そして、腹側シート部材２Ａの及び背側シート部材２Ｂそれぞれの上端縁２Ａｅ，２Ｂｅの位置を一致させて、腹側シート部材２Ａの両側縁部２ａ，２ａと背側シート部材２Ｂの両側縁部２ｂ，２ｂとが接合されて、一対のサイドシール部４，４が形成されている。
【００１１】
おむつ１は、図１に示すとおり、着用時に、着用者の腹側に配される腹側部Ａと、着用者の背側に配される背側部Ｂと、腹側部Ａと背側部Ｂとの間に位置し、着用者の股間部に配される股下部Ｃを有している。おむつ１の長手方向（物品長手方向）は、腹側部Ａから股下部Ｃを経て背側部Ｂにわたる方向又はその逆方向（図１中Ｘ方向）であり、おむつ１の幅方向（物品幅方向）は、着用者の胴回り方向に沿う方向であり、物品長手方向と交差する方向（図１中Ｙ方向）である。
【００１２】
腹側シート部材２Ａは、おむつ１の展開且つ伸長状態において、幅方向Ｙに沿って長い横長の長方形状をなしている。背側シート部材２Ｂも、同様に、おむつ１の展開且つ伸長状態において、横長の長方形状をなしている。腹側シート部材２Ａと背側シート部材２Ｂは、長手方向Ｘの長さが、幅方向Ｙにおいて均一である。
【００１３】
そして、腹側シート部材２Ａの側縁部２ａと、背側シート部材２Ｂの側縁部２ｂとが上述した一対のサイドシール部４，４において接合されて、筒状の胴回り部が形成されている。この接合には、例えばヒートシール、高周波シール、超音波シール、接着剤等の公知の接合手段が用いられる。また、この接合によって、サイドシール部４，４とともに、ウエスト開口部５及び一対のレッグ開口部６が形成される。
【００１４】
背側シート部材２Ｂは長手方向Ｘの長さが、腹側シート部材２Ａの長手方向Ｘの長さよりも長くなっている。そしてサイドシール部４は、その長手方向Ｘの長さが、腹側シート部材２Ａの長さと同じになっている。背側シート部材２Ｂの長さとの関係では、サイドシール部４は、背側シート部材２Ｂの長さよりも短く形成されている。その結果、背側シート部材２Ｂには、左右両側にサイドシール部４，４を有する背側本体部２０ｂと、該背側本体部２０ｂから股下部Ｃ側に延出し、左右両側にサイドシール部４，４を有しない背側延出部２１ｂとが形成されている。背側延出部２１ｂのうち、吸収性本体３よりも幅方向Ｙの外方に位置する部位は、おむつ１の着用状態において、着用者の臀部を被覆する臀部カバー部２１０ｂとなる。
【００１５】
おむつ１の吸収性本体３は、液透過性の表面シート３１、液不透過性又は撥水性の裏面シート３２、及び両シート３１、３２間に介在配置された液保持性の吸収体３３を有しており、長手方向Ｘに長い長方形状に形成されている。吸収体３３は、パルプ繊維等の繊維の集合体（不織布であってもよい）からなる吸収性コア、又は繊維の集合体に吸水性ポリマーの粒子を保持させてなる吸収性コア（図示せず）と、該吸収性コアを被覆するコアラップシート（図示せず）からなる。吸収体３３も、長手方向Ｘに長い長方形状に形成されている。
【００１６】
表面シート３１、裏面シート３２、及び吸収体３３の吸収性コアやコアラップシートとしては、それぞれ、この種の吸収性物品に従来用いられているものと同様のものを用いることができる。股下部Ｃにおける吸収性本体３の外側には、裏面シート３２に重ねて、不織布やフィルム等の外装シート（図示せず）を配することもできる。
【００１７】
吸収性本体３は、長手方向Ｘの一端側において背側シート部材２Ｂと重なっている部分が、背側シート部材２Ｂの幅方向Ｙの中央領域に固定されている。また、吸収性本体３は、長手方向Ｘの他端側において腹側シート部材２Ａと重なっている部分が、腹側シート部材２Ａの幅方向Ｙの中央領域に固定されている。これらの固定には例えば接着剤を用いることができる。
【００１８】
おむつ１における腹側シート部材２Ａ及び背側シート部材２Ｂはいずれも、図１に示すとおり、おむつの外面をなす外側シート２２と、外側シート２２の内面側に配された内側シート２３と、両シート２２，２３間に配された複数本の糸状の弾性部材２４とを備えている。弾性部材２４は、幅方向Ｙに沿って延びている。それによって、腹側シート部材２Ａ及び背側シート部材２Ｂは、幅方向Ｙに沿って伸縮性を発現している。
【００１９】
弾性部材２４は、その長さ方向の領域のうち、吸収性本体３における吸収体３３と重ならない位置において伸縮弾性が発現するようになっている。そして、吸収体３３と重なる位置には弾性部材２４が配置されていないか、又は配置されているとしても、伸縮弾性が発現しないような態様で配置されている。例えば弾性部材２４は、吸収体３３と重なる位置において細かく分断された分断体（図示せず）の状態で存在しており、それによって伸縮弾性が発現しないようになっている。
【００２０】
図３（ａ）に示すとおり、外側シート２２と内側シート２３とは、複数の接合部２６において接合されている。そして弾性部材２４が、該接合部２６を通らないように且つ該弾性部材２４の両端部間の領域において外側シート２２及び内側シート２３のいずれにも非接合状態で配されている。弾性部材２４は、その両端部においてのみ外側シート２２及び内側シート２３と固定されている。
【００２１】
腹側シート部材２Ａ及び背側シート部材２Ｂにおいては、おむつ１の長手方向Ｘに沿って接合部２６が間欠的に直列配置されてなる接合部列２６Ａが、おむつ１の幅方向Ｙに複数列形成されている。そして、それらの接合部列２６Ａにおける各接合部２６の長手方向が一致している。長手方向Ｘにおいて前後する一対の接合部２６の間には弾性部材２４が位置している。
【００２２】
以上のとおりの構造を有する腹側シート部材２Ａ及び背側シート部材２Ｂは、その収縮状態において、図３（ｂ）に示すとおり、複数本の弾性部材２４にわたって連続して延びる複数本の襞２７を形成する。
【００２３】
腹側シート部材２Ａ及び背側シート部材２Ｂから構成される外装体のうち、背側シート部材２Ｂから構成される胴回り部においては、幅方向側部域４０ａ（図２参照）に、図４に示す該胴回り部の厚み方向断面視において、股下部Ｃ側からウエスト開口部５側に向けて凸となる第１の折り目４１を幅方向Ｙに沿って設けている。これとともに、ウエスト開口部５側から股下部Ｃ側に向けて凸となる第２の折り目４２を幅方向Ｙに沿って設けている。第１の折り目４１と第２の折り目４２とは互いに平行に延びている。また、第１の折り目４１と第２の折り目４２とは、背側シート部材２Ｂの幅方向側部域４０ａだけでなく、背側シート部材２Ｂの幅方向中央域４０ｂにも設けられている。したがって、各折り目４１，４２は背側シート部材２Ｂの幅方向の全域にわたって連続して且つ直線状に形成されている。これら２つの折り目４１，４２を形成して背側シート部材２Ｂを折り畳むことで、背側シート部材２Ｂには、その外面側に、幅方向Ｙに沿って延びる一重の襞４３が形成される。そして、背側シート部材２Ｂを折り畳んだ状態下に、つまり襞４３が形成された状態下に、背側シート部材２Ｂ及び腹側シート部材２Ａをそれらの側縁部２ａ，２ｂどうしで接合してサイドシール部４を形成することで、第１の折り目４１及び第２の折り目４２を固定化するとともに、襞４３の形成状態を固定化する。サイドシール部４の形成によって、背側シート部材２Ｂにおいては、サイドシール部４に隣接した幅方向側部域４０ａに、襞４３とサイドシール部４とからなる指先支持部４４が形成される。
【００２４】
本実施形態においては、図２及び図４に示すとおり、ウエスト開口部５側から股下部Ｃ側に向けて凸となる第２の折り目４２の位置に、襞４３の先端の折り目４３ａが位置している。つまり襞４３は股下部Ｃ側に向けて垂下している。したがって、指先支持部４４は、股下部Ｃ側に向けて垂下している襞４３とサイドシール部４とによって形成されている。この形態の指先支持部４４を用いておむつ１を引き上げる操作が図５に模式的に示されている。同図に示すおむつ１の引き上げ操作は、おむつの着用者（図示せず）が例えば乳児である場合、該乳児が立った姿勢で、おむつ装着の操作者（例えば親）と対面している状態を想定している。両者が対面した状態でおむつ１を引き上げることは、おむつ装着の操作者が乳児の表情等の状態を観察しながら操作ができるという点で有利である。
【００２５】
両者が対面した状態でおむつ１を引き上げるときには、おむつ装着の操作者が乳児の背中に両手をまわし、下向きの襞と背側シート部材２Ｂの外側シート２２との間に形成される空間内を含む指先支持部４４に、下方から上方に向けて指Ｆを挿入する。そして指Ｆを指先支持部４４に係止した状態下に、おむつ装着の操作者の両手を下方から上方に向けて移動させて、おむつ１を引き上げる。これによって、おむつ１を円滑に引き上げることが可能になる。しかも、指先支持部４４の一部をなす下向きの襞４３は、その側部が、強固な接合状態になっているサイドシール部４によって固定されているので、指先支持部４４に指を掛けることによって該指先支持部４４に過大な引き上げ力が加わっても、該指先支持部４４の破損が効果的に防止される。
【００２６】
指先支持部４４を用いたおむつ１の引き上げ操作を一層円滑なものとする観点から、該指先支持部４４が形成されている背側シート部材２Ｂは次の構成を有していることが好ましい。すなわち、背側シート部材２Ｂにおけるサイドシール部４が形成された幅方向に延びる領域、すなわち上述した背側本体部２０ｂ（図１参照）を、おむつ１の長手方向Ｘに仮想的に三等分して、図１に示すとおり上部２０１ｂ、中央部２０２ｂ及び下部２０３ｂに区分したとき、中央部２０２ｂの引張応力を、上部２０１ｂ及び下部２０３ｂの引張応力よりも高くすることが好ましい。これに加えて中央部２０２ｂに襞４３の先端の折り目４３ａを位置させることが好ましい。
【００２７】
前記の引張応力とは、背側シート部材２Ｂの各部を幅方向Ｙに沿って、所定の引張速度で所定の長さ引っ張ったときに示す応力のことである。本実施形態のおむつ１が例えば乳児用のものである場合、中央部２０２ｂの引張応力は０．０２Ｎ／ｍｍ以上０．２０Ｎ／ｍｍ以下であることが好ましく、０．０３Ｎ／ｍｍ以上０．１５Ｎ／ｍｍ以下であることが更に好ましい。一方、上部２０１ｂ及び下部２０３ｂの引張応力は、中央部２０２ｂの引張応力よりも低いことを条件として、それぞれ独立に０．０２Ｎ／ｍｍ以上０．２０Ｎ／ｍｍ以下であることが好ましく、０．０３Ｎ／ｍｍ以上０．１５Ｎ／ｍｍ以下であることが更に好ましい。引張応力の測定方法は次のとおりである。背側シート部材２Ｂの各部を切り離した環状サンプルを、幅方向Ｙの両端部それぞれにおける、サイドシール部４の着用者側端縁をチャックに挟んで自然状態（外力を加えずに自然に収縮させた状態）で固定して、幅方向Ｙと同じ方向に伸長させる。引張速度は３００ｍｍ／ｍｉｎとする。サンプルの長さ（チャック間距離）が、最大伸長の７０％の長さとなった時点の応力と、ここでいう引張応力と定義する。最大伸長とは、サンプルが収縮していない状態のサンプルの長さをいう。７０％を指標としたのは、パンツ型使い捨ておむつを装着したときのサンプルの伸長状態を再現するためである。
【００２８】
また、中央部２０２ｂの引張応力は、上部２０１ｂ及び下部２０３ｂの引張応力のうち、相対的に値が低い方の引張応力に対して１００％以上３００％以下の範囲で大きいことが好ましく、１２５％以上２７５％以下の範囲で大きいことが更に好ましい。
【００２９】
背側シート部材２Ｂにおける中央部２０２ｂの引張応力を、上部２０１ｂ及び下部２０３ｂよりも高くするためには、中央部２０２ｂに配置する弾性部材２４の本数を、上部２０１ｂ及び下部２０３ｂに配置する弾性部材２４の本数よりも多くすることが好ましい。例えば中央部２０２ｂに、幅方向Ｙに沿って延びる複数本の弾性部材２４を配置して、該中央部２０２ｂの引張強度を高めることができる。中央部２０２ｂに複数の弾性部材２４を配置することで、指先支持部４４を用いたおむつ１の引き上げ時に中央部２０２ｂに高負荷が加わっても、弾性部材２４が破断しにくくなるという利点がある。
【００３０】
中央部２０２ｂと、上部２０１ｂ及び下部２０３ｂとで弾性部材２４の配置本数が同数である場合には、中央部２０２ｂに配置する弾性部材として、上部２０１ｂ及び下部２０３ｂに配置する弾性部材よりも太さの太いものを用いることができる。あるいは太さが同じ場合には、中央部２０２ｂに弾性部材を伸長状態で配置するときに、その伸長の程度を、上部２０１ｂ及び下部２０３ｂにおける弾性部材の伸長の程度よりも大きくすることができる。
【００３１】
指先支持部４４を用いたおむつ１の引き上げ操作を一層円滑なものとする観点から、襞４３の先端の折り目４３ａが、吸収性本体３における吸収体３３の長手方向Ｘの端縁よりも股下部Ｃ側に位置していることが好ましい。おむつ１を引き上げる目的の一つに、着用状態のおむつ１が排泄物を吸収保持してその質量が増加し、そのことに起因して重みでずり下がった状態になっているおむつ１の装着位置を、適正な位置に修正するという目的がある。この目的のためには、排泄物を吸収保持してずり下がっている状態の吸収体を引き上げる必要がある。吸収体を引き上げるために、指先支持部４４の一部をなす襞４３の先端の折り目４３ａを吸収体３３の端縁よりも股下部Ｃ側に位置させると、指先支持部４４に指を掛けて引き上げ力を発生させたときに、その力が吸収体３３の効率的に伝播する。その結果、おむつ１を円滑に引き上げることができる。
【００３２】
本実施形態においては、先に述べたとおり、背側シート部材２Ｂ及び腹側シート部材２Ａが外側シート２２及び内側シート２３の２層構造からなり、両シート２２，２３が複数の接合部において間欠的に接合されている。つまり両シート２２，２３の接合面積が極力低くなっており、接合に起因して各シート部材２Ａ，２Ｂが硬い風合いとならないように配慮されている。したがって、背側シート部材２２を、上述した第１の折り目４１及び第２の折り目４２で折り畳み襞４３を形成しても、両シート２２，２３の接合に起因する襞４３の剛性の増大を抑制することができる。その結果、指先支持部４４の肌触りが低下することが効果的に防止される。
【００３３】
特に、背側シート部材２Ｂに配置された弾性部材２４が、サイドシール部４と吸収体３３の長手方向Ｘに沿って延びる側縁との間において、外側シート２２及び内側シート２３と非接合状態になっていると、背側シート部材２Ｂに襞４３を形成したときの該襞４３の剛性の増大を一層抑制することができる。その上、襞４３を含む指先支持部４４及びその周辺領域での通気性の低下も抑制することができる。
【００３４】
図１ないし図５に示す実施形態においては、背側シート部材２Ｂに形成された襞４３は、該シート部材２Ｂの幅方向Ｙの全域にわたり、つまり一方のサイドシール部４から他方のサイドシール部４までの間に形成されている。これに代えて、図６に示す実施形態のとおり、襞４３を、背側シート部材２Ｂのうち、おむつ１の平面視において、該背側シート部材２Ｂと吸収性本体３とが重ならない幅方向側部域４０ａにのみ形成し、幅方向中央域４０ｂには襞４３を形成しないようにすることもできる。したがって、襞４３を含む指先支持部４４は、背側シート部材２Ｂと吸収性本体３とが平面視において重ならない幅方向側部域４０ａにのみ形成される。本実施形態によれば、背側シート部材２Ｂと吸収性本体３とが平面視において重なる部位、すなわち幅方向中央域４０ｂに襞４３が形成されないので、襞４３の形成に起因する凹凸が背側シート部材２Ｂの表面に生じない。背側シート部材２Ｂの表面に凹凸が生じると、その凹凸が吸収体３３に伝播して、該吸収体の性能に影響を及ぼすことがあるが、背側シート部材２Ｂの表面に凹凸が生じない本実施形態のおむつ１によれば、そのような懸念がないという利点がある。
【００３５】
図７ないし図９には、本発明の更に別の実施形態が示されている。これまでに説明してきた実施形態では、おむつ１の背側部Ｂにおける幅方向側部域４０ａに指先支持部４４が形成されていたが、本実施形態では、おむつ１の腹側部Ａにおける幅方向側部域４０ａに指先支持部４４が形成されている。詳細には、背側シート部材２Ａの胴回り部における幅方向側部域４０ａに、図８に示す該胴回り部の厚み方向断面視において、股下部Ｃ側からウエスト開口部５側に向けて凸となる第１の折り目４１を幅方向Ｙに沿って設けている。これとともに、ウエスト開口部５側から股下部Ｃ側に向けて凸となる第２の折り目４２を幅方向Ｙに沿って設けている。これら２つの折り目４１，４２を形成して腹側シート部材２Ａを折り畳むことで、腹側シート部材２Ａの外面側に、幅方向Ｙに沿って延びる一重の襞４３を形成する。このとき、股下部Ｃ側からウエスト開口部５側に向けて凸となる第１の折り目４１の位置に、襞４３の先端の折り目４３ａを位置させる。そして、腹側シート部材２Ａを折り畳んだ状態下に、つまり襞４３が形成された状態下に、背側シート部材２Ｂ及び腹側シート部材２Ａをそれらの側縁部２ａ，２ｂどうしで接合してサイドシール部４を形成することで、第１の折り目４１及び第２の折り目４２を固定化するとともに、襞４３の形成状態を固定化する。サイドシール部４の形成によって、腹側シート部材２Ａにおいては、サイドシール部４に隣接した幅方向側部域４０ａに、襞４３とサイドシール部４とからなる指先支持部４４が形成される。
【００３６】
本実施形態においては、図７及び図８に示すとおり、股下部Ｃ側からウエスト開口部５側に向けて凸となる第１の折り目４１の位置に、襞４３の先端の折り目４３ａが位置している。つまり襞４３はウエスト開口部５側に向けて上向きになっている。したがって、指先支持部４４は、ウエスト開口部５側に向けて上向きになっている襞４３とサイドシール部４とによって形成されている。この形態の指先支持部４４を用いておむつ１を引き上げる操作が図９に模式的に示されている。同図に示すおむつ１の引き上げ操作は、おむつの着用者（図示せず）が例えば乳児である場合、該乳児が立った姿勢で、おむつ装着の操作者（例えば親）がその背後にいる状態を想定している。つまり乳児とおむつ装着の操作者とが同方向を向いている状態を想定している。
【００３７】
乳児の背後におむつ装着の操作者がいる状態でおむつ１を引き上げるときには、おむつ装着の操作者が乳児の腹側に両手をまわし、上向きの襞４３と腹側シート部材２Ａの外側シート２２との間に形成される空間内を含む指先支持部４４に、上方から下方に向けて指Ｆ１を挿入するとともに、挿入した指Ｆ１と、該指Ｆ１とは別の指Ｆ２とで襞部４３を摘まむ。この状態下に、おむつ装着の操作者の両手を下方から上方に向けて移動させて、おむつ１を引き上げる。これによって、おむつ１を円滑に引き上げることが可能になる。しかも、指先支持部４４の一部をなす上向きの襞４３は、その側部が、強固な接合状態になっているサイドシール部４によって固定されているので、襞４３を指で摘まむことによって指先支持部４４に過大な引き上げ力が加わっても、該指先支持部４４の破損が効果的に防止される。
【００３８】
なお、図６ないし図９に示す実施形態において特に説明しなかった点については、図１ないし図５に示す実施形態に関する説明が適宜適用される。また図６ないし図９において、図１ないし図５と同じ部材には同じ符号を付してある。
【００３９】
以上、本発明をその好ましい実施形態に基づき説明したが、本発明は前記実施形態に制限されない。例えば前記実施形態においては、吸収性本体３を固定する外装体が、腹側シート部材２Ａと背側シート部材２Ｂとに二分割されていたが、これに代えて、おむつの全長にわたり存在している単一の外装体を用い、腹側部における外装体の側縁部と背側部における外装体の側縁部とを接合して、一対のサイドシール部を形成してもよい。
【００４０】
また、本発明のパンツ型吸収性物品は、幼児用のパンツ型使い捨ておむつに適用できる他、成人用のパンツ型使い捨ておむつにも適用でき、更にパンツ型の生理用ナプキン等に適用してもよい。
【００４１】
上述した一の実施形態における説明省略部分及び一の実施形態のみが有する要件は、それぞれ他の実施形態に適宜適用することができ、また、各実施形態における要件は、適宜、実施形態間で相互に置換可能である。
【００４２】
上述した実施形態に関し、本発明は更に以下のパンツ型吸収性物品を開示する。
＜１＞
液透過性の表面シート及び液保持性の吸収体を備える吸収性本体と、該吸収性本体の非肌当接面側に位置して該吸収性本体を固定している外装体とを備え、腹側部における該外装体の側縁部と背側部における該外装体の側縁部とが接合されて、一対のサイドシール部並びにウエスト開口部及び一対のレッグ開口部が形成されているパンツ型吸収性物品であって、
前記外装体のうち、背側部又は腹側部における胴回り部の幅方向側部域に、該胴回り部の厚み方向断面視において、股下部側からウエスト開口部側に向けて凸となる第１の折り目を幅方向に沿って設けるとともに、ウエスト開口部側から股下部側に向けて凸となる第２の折り目を第１の折り目と平行に且つ幅方向に沿って設けて該胴回り部を折り畳み、それによって幅方向に延びる一重の襞を設け、該胴回り部の折り畳み状態下に、該外装体の背側部と腹側部とがそれらの側縁部どうしで接合されており、それによって背側部又は腹側部における前記サイドシール部に隣接した該側部域に、該襞及び該サイドシール部を含む指先支持部が設けられている、パンツ型吸収性物品
【００４３】
＜２＞
前記外装体のうち、背側部又は腹側部における前記サイドシール部が形成された幅方向に延びる領域を、物品の長手方向に仮想的に三等分して上部、中央部及び下部に区分したとき、中央部の引張応力を、上部及び下部の引張応力よりも高くし、且つ中央部に前記襞における先端の折り目を位置させた前記＜１＞に記載のパンツ型吸収性物品。
＜３＞
前記外装体のうち、背側部又は腹側部における前記サイドシール部が形成された幅方向に延びる領域を、物品の長手方向に仮想的に三等分して上部、中央部及び下部に区分したとき、中央部の引張応力が０．１Ｎ以上３．０Ｎ以下であることが好ましく、０．３Ｎ以上２．５Ｎ以下であることが更に好ましい前記＜１＞又は＜２＞に記載のパンツ型吸収性物品。
＜４＞
前記外装体のうち、背側部又は腹側部における前記サイドシール部が形成された幅方向に延びる領域を、物品の長手方向に仮想的に三等分して上部、中央部及び下部に区分したとき、上部及び下部の引張応力が、中央部の引張応力よりも低いことを条件として、それぞれ独立に０．１Ｎ以上３．０Ｎ以下であることが好ましく、０．３Ｎ以上２．５Ｎ以下であることが更に好ましい前記＜１＞ないし＜３＞のいずれか１に記載のパンツ型吸収性物品。
＜５＞
前記外装体のうち、背側部又は腹側部における前記サイドシール部が形成された幅方向に延びる領域を、物品の長手方向に仮想的に三等分して上部、中央部及び下部に区分したとき、中央部の引張応力が、上部及び下部の引張応力のうち、相対的に値が低い方の引張応力に対して１０５％以上３００％以下の範囲で大きいことが好ましく、１２５％以上２７５％以下の範囲で大きいことが更に好ましい前記＜１＞ないし＜４＞のいずれか１に記載のパンツ型吸収性物品。
＜６＞
前記外装体のうち、背側部又は腹側部における前記サイドシール部が形成された幅方向に延びる領域を、物品の長手方向に仮想的に三等分して上部、中央部及び下部に区分したとき、中央部には、幅方向に延びる複数本の前記弾性部材が配置されている前記＜１＞ないし＜５＞のいずれか１に記載のパンツ型吸収性物品。
【００４４】
＜７＞
ウエスト開口部側から股下部側に向けて凸となる第２の折り目の位置に、前記襞における先端の折り目が位置している前記＜１＞ないし＜６＞のいずれか１に記載のパンツ型吸収性物品。
＜８＞
前記襞が、股下部側に向けて垂下している前記＜１＞ないし＜７＞のいずれか１に記載のパンツ型吸収性物品。
＜９＞
前記指先支持部４４が、股下部側に向けて垂下している前記襞と前記サイドシール部とによって形成されている前記＜１＞ないし＜８＞のいずれか１に記載のパンツ型吸収性物品。
＜１０＞
前記指先支持部が背側部に形成されている前記＜１＞ないし＜９＞のいずれか１に記載のパンツ型吸収性物品。
＜１１＞
前記襞における先端の折り目が、前記吸収体の長手方向端縁よりも股下部側に位置している前記＜１＞ないし＜１０＞のいずれか１に記載のパンツ型吸収性物品。
【００４５】
＜１２＞
前記襞が、前記外装体のうち、物品の平面視において、該外装体と前記吸収性本体とが重ならない部位にのみ形成されている前記＜１＞ないし＜１１＞のいずれか１に記載のパンツ型吸収性物品。
＜１３＞
前記外装体が、着用者の腹側に配される腹側シート部材と、着用者の背側に配される背側シート部材とからなり、
前記吸収性本体が、前記腹側シート部材及び前記背側シート部材に架け渡して固定されており、
前記腹側シート部材の両側部と前記背側シート部材の両側部とが前記サイドシール部において接合されて、筒状の胴回り部が形成されており、
前記背側シート部材又は前記腹側シート部材における前記サイドシール部に隣接した前記側部域に前記指先支持部を設けた前記＜１＞ないし＜１２＞のいずれか１に記載のパンツ型吸収性物品。
＜１４＞
第１の折り目と第２の折り目とが、背側部における前記外装体の幅方向側部域だけでなく、該外装体の幅方向中央域にも設けられている前記＜１＞ないし＜１３＞のいずれか１に記載のパンツ型吸収性物品。
＜１５＞
第１の折り目及び第２の折り目が、背側部における前記外装体の幅方向の全域にわたって連続して且つ直線状に形成されている前記＜１＞ないし＜１４＞のいずれか１に記載のパンツ型吸収性物品。
＜１６＞
前記外装体が弾性部材を備え、
前記外装体のうち、背側部又は腹側部における前記サイドシール部が形成された幅方向に延びる領域を、物品の長手方向に仮想的に三等分して上部、中央部及び下部に区分したとき、中央部に配置する弾性部材の本数を、上部及び下部に配置する弾性部材の本数よりも多くした前記＜１＞ないし＜１５＞のいずれか１に記載のパンツ型吸収性物品。
【００４６】
＜１７＞
前記外装体が弾性部材を備え、
前記外装体のうち、背側部又は腹側部における前記サイドシール部が形成された幅方向に延びる領域を、物品の長手方向に仮想的に三等分して上部、中央部及び下部に区分したとき、中央部に配置する弾性部材として、上部及び下部に配置する弾性部材よりも太さの太いものを用いた前記＜１＞ないし＜１６＞のいずれか１に記載のパンツ型吸収性物品。
＜１８＞
前記外装体が物品の外面をなす外側シートと、外側シートの内面側に配された内側シートと、両シート間に配された弾性部材とを備え、幅方向に伸縮可能になっており、
前記外側シートと前記内側シートとは、複数の接合部において間欠的に接合されており、
前記弾性部材が、前記接合部を通らないように且つ該弾性部材の両端部間の領域において前記外側シート及び前記内側シートのいずれにも非接合状態で配されている前記＜１＞ないし＜１７＞のいずれか１に記載のパンツ型吸収性物品。
＜１９＞
前記外装体が物品の外面をなす外側シートと、外側シートの内面側に配された内側シートと、両シート間に配された弾性部材とを備え、
前記弾性部材が、前記サイドシール部と、前記吸収性本体における吸収体の側縁との間において前記外側シート及び前記内側シートと非接合状態になっている前記＜１＞ないし＜１８＞のいずれか１に記載のパンツ型吸収性物品。
＜２０＞
背側部における前記外装体は長手方向の長さが、腹側部における前記外装体の長手方向の長さよりも長くなっている前記＜１＞ないし＜１９＞のいずれか１に記載のパンツ型吸収性物品。
＜２１＞
背側部における前記外装体には、左右両側に前記サイドシール部を有する背側本体部と、該背側本体部から股下部側に延出し、左右両側に前記サイドシール部を有しない背側延出部とが形成されている前記＜１＞ないし＜２０＞のいずれか１に記載のパンツ型吸収性物品。
【００４７】
＜２２＞
前記外装体が物品の外面をなす外側シートと、外側シートの内面側に配された内側シートと、両シート間に配された弾性部材とを備え、
前記弾性部材は、その長さ方向の領域のうち、前記吸収性本体における吸収体と重ならない位置において伸縮弾性が発現するようになっている前記＜１＞ないし＜２１＞のいずれか１に記載のパンツ型吸収性物品。
＜２３＞
前記外装体が物品の外面をなす外側シートと、外側シートの内面側に配された内側シートと、両シート間に配された弾性部材とを備え、
前記吸収性本体における吸収体と重なる位置には前記弾性部材が配置されていないか、又は配置されているとしても、伸縮弾性が発現しないような態様で配置されている前記＜１＞ないし＜２２＞のいずれか１に記載のパンツ型吸収性物品。
＜２４＞
前記襞を、背側部における前記外装体のうち、前記物品の平面視において、該外装体と前記吸収性本体とが重ならない幅方向側部域にのみ形成し、幅方向中央域には前記襞を形成しない前記＜１＞ないし＜２３＞のいずれか１に記載のパンツ型吸収性物品。
＜２５＞
前記襞を含む前記指先支持部は、背側部における前記外装体と前記吸収性本体とが平面視において重ならない幅方向側部域にのみ形成されている前記＜１＞ないし＜２４＞のいずれか１に記載のパンツ型吸収性物品。
＜２６＞
前記物品の腹側部における幅方向側部域に前記物品指先支持部が形成されている前記＜１＞ないし＜２５＞のいずれか１に記載のパンツ型吸収性物品。
＜２７＞
股下部側からウエスト開口部側に向けて凸となる第１の折り目の位置に、前記襞における先端の折り目が位置しており、それによって該襞はウエスト開口部側に向けて上向きになっており、前記指先支持部は、ウエスト開口部側に向けて上向きになっている該襞と前記サイドシール部とによって形成されている前記＜１＞ないし＜２６＞のいずれか１に記載のパンツ型吸収性物品。
【符号の説明】
【００４８】
１  パンツ型使い捨ておむつ
２Ａ  腹側シート部材
２Ｂ  背側シート部材
３  吸収性本体
４  サイドシール部
５  ウエスト開口部
６  レッグ開口部
２２  外側シート
２３  内側シート
２４  弾性部材
２６  接合部
３１  表面シート
３２  裏面シート
３３  吸収体
４０ａ  幅方向側部域
４０ｂ  幅方向中央域
４１  第１の折り目
４２  第２の折り目
４３  襞
４３ａ  襞の先端の折り目
４４  指先支持部
Ａ  腹側部
Ｂ  背側部
Ｃ  股下部
【図１】
0006467214.tif 000002
【図２】
0006467214.tif 000003
【図３】
0006467214.tif 000004
【図４】
0006467214.tif 000005
【図５】
0006467214.tif 000006
【図６】
0006467214.tif 000007
【図７】
0006467214.tif 000008
【図８】
0006467214.tif 000009
【図９】
0006467214.tif 000010